(57)【要約】  【課題】  レーザビームを照射することによりレーベル面にカラー可視画像を形成することができる光ディスク及び光ディスク装置を提供する。  【解決手段】  ＤＶＤ５０において、１つの周から成りレーザビームが照射された部分の色が変化する環状領域５５が、円盤状の基板５６の一方面に同心円状に複数周形成されて成るレーベル面５９を備え、環状領域５５は、レーザビームが照射されることに起因して生じる熱に感熱して青色に変化する環状領域５５ａ、緑色に変化する環状領域５５ｂ、赤色に変化する環状領域５５ｃの３原色にそれぞれ変化する３種類の環状領域を有しており、それぞれの環状領域が順に配設されている。【選択図】      図２
2006134424.tif 000002
【特許請求の範囲】
【請求項１】
レーザビームが照射されることにより可視画像が形成される光ディスクであって、
１つの周から成り前記レーザビームが照射された部分の色が変化する環状領域または螺
旋状領域が、円盤状の基板層の一方面に同心円状または螺旋状に複数周形成されて成るレ
ーベル面を備え、前記環状領域または螺旋状領域は、周ごとに赤色、緑色、青色の３色、
または、シアン、マゼンタ、イエローの３色に変化するように、前記レーザビームが照射
されて発色または退色する色素材料で構成されるともに、その周の変化する色に対応した
色情報コードを表す形状であって、前記色情報コードに対応して周方向の長さを変化させ
たピット形状またはスリット形状、または、前記色情報コードに対応したパターンで周方
向に配列されたピット形状またはスリット形状、または、前記色情報コードに対応した周
期で変化するウォブル形状を有することを特徴とする光ディスク。
【請求項２】
レーザビームが照射されることにより可視画像が形成される光ディスクであって、
１つの周から成り前記レーザビームが照射された部分の色が変化する環状領域が、円盤
状の基板層の一方面に同心円状に複数周形成されて成るレーベル面を備え、前記環状領域
は、周ごとに複数の異なる色に変化するように、前記レーザビームが照射されて発色また
は退色する色素材料で構成されるともに、その周の変化する色に対応した色情報コードを
表す形状を有することを特徴とする光ディスク。
【請求項３】
レーザビームが照射されることにより可視画像が形成される光ディスクであって、
１つの周から成り前記レーザビームが照射された部分の色が変化する螺旋状領域が、円
盤状の基板層の一方面に螺旋状に複数周形成されて成るレーベル面を備え、前記螺旋状領
域は、周ごとに複数の異なる色に変化するように、前記レーザビームが照射されて発色ま
たは退色する色素材料で構成されるともに、その周の変化する色に対応した色情報コード
を表す形状を有することを特徴とする光ディスク。
【請求項４】
前記複数の異なる色が、赤色、緑色、青色の３色、または、シアン、マゼンタ、イエロ
ーの３色であることを特徴とする請求項２または請求項３に記載の光ディスク。
【請求項５】
前記色情報コードを表す形状が、前記色情報コードに対応したパターンで周方向に配列
されたピット形状またはスリット形状であることを特徴とする請求項２〜請求項４のいず
れかに記載の光ディスク。
【請求項６】
前記色情報コードを表す形状が、前記色情報コードに対応して周方向の長さを変化させ
たピット形状またはスリット形状であることを特徴とする請求項２〜請求項４のいずれか
に記載の光ディスク。
【請求項７】
前記色情報コードを表す形状が、前記色情報コードに対応した周期で変化するウォブル
形状であることを特徴とする請求項２〜請求項４のいずれかに記載の光ディスク。
【請求項８】
１つの周から成りレーザビームが照射された部分の色が変化する環状領域または螺旋状
領域が、複数周形成されたレーベル面を有する光ディスクに対して、レーザビームを照射
することにより可視画像を形成する光ディスク装置であって、
レーザビームを出射するレーザダイオードと、レーザダイオードを駆動するレーザダイ
オードドライバと、前記レーザダイオードから出射されたレーザビームを前記光ディスク
のレーベル面に集光させる対物レンズと、前記対物レンズを前記光ディスクの径方向に駆
動するトラッキングアクチュエータと、前記対物レンズを光軸方向に駆動するフォーカス
アクチュエータと、出射されたレーザビームの前記レーベル面からの反射光を受光し受光
した反射光に基づく受光信号を出力する受光素子とを有する光ピックアップと、
前記受光信号に含まれる前記環状領域または螺旋状領域の位置情報に基づいて前記トラ
ッキングアクチェータを駆動して前記レーベル面に照射されるレーザビームのトラッキン
グ制御を行うとともに、前記受光信号に含まれる前記レーベル面におけるレーザビームの
焦点情報に基づいて前記フォーカスアクチュエータを駆動して前記レーベル面に照射され
るレーザビームのフォーカス制御を行うサーボ回路と、
前記光ピックアップから出射されるレーザビームの前記レーベル面における照射位置を
前記光ディスクの径方向に移動させる照射位置移動部と、
形成する可視画像の赤色、緑色、青色の３色、または、シアン、マゼンタ、イエローの
３色の色成分のそれぞれの色成分に対応する複数の色成分画像データを記憶する記憶部と
、
前記光ディスクに可視画像を形成する際に、前記レーザダイオードドライバに前記レー
ザダイオードから前記環状領域または螺旋状領域の色を変化させない照射パワーのレーザ
ビームを照射させる第１の照射指示信号を与え、前記受光信号からレーザビームが照射さ
れた前記環状領域または螺旋状領域が有する色情報コードを読み取り、読み取った色情報
コードが示す色の色成分に対応する前記記憶部に記憶されている色成分画像データと前記
レーベル面における現在のレーザビームの照射位置情報とに基づいて、前記レーザダイオ
ードドライバに前記レーザダイオードから前記環状領域または螺旋状領域の色を変化させ
る照射パワーのレーザビームを照射させる第２の照射指示信号を与える制御部と、
を備えたことを特徴とする光ディスク装置。
【請求項９】
１つの周から成りレーザビームが照射された部分の色が変化する環状領域または螺旋状
領域が、複数周形成されたレーベル面を有する光ディスクに対して、レーザビームを照射
することにより可視画像を形成する光ディスク装置であって、
レーザビームを出射し、出射されたレーザビームを前記レーベル面に集光させ、前記レ
ーベル面からの反射光を受光し受光した反射光に基づく受光信号を出力する光ピックアッ
プと、
前記光ピックアップから出射されるレーザビームの前記レーベル面における照射位置を
前記光ディスクの径方向に移動させる照射位置移動部と、
形成する可視画像の複数の色成分のそれぞれの色成分に対応する複数の色成分画像デー
タを記憶する記憶部と、
前記光ディスクに可視画像を形成する際に、前記光ピックアップに前記環状領域または
螺旋状領域の色を変化させない照射パワーのレーザビームを照射させる第１の照射指示信
号を与え、前記受光信号からレーザビームが照射された前記環状領域または螺旋状領域が
有する色情報コードを読み取り、読み取った色情報コードが示す色の色成分に対応する前
記記憶部に記憶されている色成分画像データと前記レーベル面における現在のレーザビー
ムの照射位置情報とに基づいて、前記光ピックアップに前記環状領域または螺旋状領域の
色を変化させる照射パワーのレーザビームを照射させる第２の照射指示信号を与える制御
部と、
を備えたことを特徴とする光ディスク装置。
【請求項１０】
前記記憶部は、形成する可視画像の赤色、緑色、青色の３色、または、シアン、マゼン
タ、イエローの３色の色成分のそれぞれの色成分に対応する複数の色成分画像データを記
憶することを特徴とする請求項９に記載の光ディスク装置。
【請求項１１】
前記光ピックアップは、レーザビームを出射するレーザダイオードと、レーザダイオー
ドを駆動するレーザダイオードドライバと、前記レーザダイオードから出射されたレーザ
ビームを前記光ディスクのレーベル面に集光させる対物レンズと、前記対物レンズを前記
光ディスクの径方向に駆動するトラッキングアクチュエータと、前記対物レンズを光軸方
向に駆動するフォーカスアクチュエータと、出射されたレーザビームの前記レーベル面か
らの反射光を受光し受光した反射光に基づく受光信号を出力する受光素子とを有し、
前記光ディスク装置は、さらに、前記受光信号に含まれる前記環状領域または螺旋状領
域の位置情報に基づいて前記トラッキングアクチェータを駆動して前記レーベル面に照射
されるレーザビームのトラッキング制御を行うとともに、前記受光信号に含まれる前記レ
ーベル面におけるレーザビームの焦点情報に基づいて前記フォーカスアクチュエータを駆
動して前記レーベル面に照射されるレーザビームのフォーカス制御を行うサーボ回路を備
えることを特徴とする請求項９または請求項１０に記載の光ディスク装置。
【請求項１２】
前記制御部は、前記光ディスクに可視画像を形成する際に、前記レーザダイオードドラ
イバに第１、第２の照射指示信号を与えることを特徴とする請求項１１に記載の光ディス
ク装置。
【発明の詳細な説明】
【技術分野】
【０００１】
本発明は、光ディスク及び光ディスク装置に関し、特に、レーザビームを照射すること
により光ディスクのレーベル面に可視画像の形成を行うことができるようにした光ディス
ク及び光ディスク装置に関するものである。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の情報を再生したり
、そのような情報をその光ディスクに記録したりする光ディスク装置が提供されている。
【０００３】
そのような光ディスク装置で光ディスクに情報の記録を行った場合、その記録した内容
が外観で認識できれば便利であるため、ユーザは専用のプリンタ装置を用いて、その光デ
ィスクに記録した内容を示す文字等（例えば、曲名や映画タイトル等）を円形のシートに
印刷し、このシートをその光ディスクの記録面と反対の面に貼り付けるというようなこと
を行っていた。
【０００４】
しかしながら、この方法では、ユーザは、専用のプリンタ装置を用意する必要や、その
専用プリンタ装置でのシートの印刷、印刷されたシートの光ディスクへの貼り付け等の煩
雑な作業を行う必要があった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視画像（例えば、曲名や映画タ
イトル等を示す文字等）を形成（印刷）することができる光ディスク及び光ディスク装置
が提供されるようになってきている（例えば、特許文献１〜３参照）。
【０００６】
また、グルーブ部とランド部とが交互に形成された溝連続体からなる微細パターンを有
する支持体と、前記微細パターン上に形成され情報を記録するための記録層とを有する情
報記録担体であって、前記微細パターンを前記記録層を再生する再生光の波長と対物レン
ズの開口数とに基づいて形成した情報記録担体がある（例えば、特許文献４参照）。
【特許文献１】特開２００４−２１３８０２号公報
【特許文献２】特開２００４−３０９２２号公報
【特許文献３】特開２００４−３０８３６号公報
【特許文献４】特開２００４−４６９１０号公報
【発明の開示】
【発明が解決しようとする課題】
【０００７】
しかしながら、レーザビームを光ディスクのレーベル面に照射することによりそのレー
ベル面に可視画像を形成する従来の光ディスク及び光ディスク装置では、レーベル面に印
刷される可視画像は単色画像に限られており、複数色から成るカラー可視画像を印刷する
ことはできなかった。
【０００８】
また、特許文献１に記載の従来の光ディスク装置は、照射される３つのレーザ光の焦点
が光ディスクの径方向となるように配列された前記３つのレーザ光を照射するレーザアレ
イを備えることによりレーベル印刷を高速で行うことができるようにしているが、カラー
可視画像を印刷できるようにしたものではない。
【０００９】
また、特許文献２に記載の従来の光記録媒体、及び、特許文献３に記載の従来の光ディ
スク記録装置は、暗号化された記録情報を複合化するためのキー情報に基づく管理情報を
レーベル面上に印刷することによりセキュリティ性を高めることができるようにしている
が、カラー可視画像を印刷できるようにしたものではない。
【００１０】
また、特許文献４に記載の従来技術は、光ディスクの記録面への情報記録の際のクロス
イレースを防止するためのものであり、この従来技術は、光ディスクのレーベル面にカラ
ー可視画像を印刷するために適用できるものではない。
【００１１】
本発明は、上記の点に鑑み、レーザビームを照射することによりレーベル面にカラー可
視画像を形成することができる光ディスク及び光ディスク装置を提供することを目的とす
る。
【課題を解決するための手段】
【００１２】
上記目的を達成するために、請求項１の発明は、レーザビームが照射されることにより
可視画像が形成される光ディスクであって、１つの周から成り前記レーザビームが照射さ
れた部分の色が変化する環状領域または螺旋状領域が、円盤状の基板層の一方面に同心円
状または螺旋状に複数周形成されて成るレーベル面を備え、前記環状領域または螺旋状領
域は、周ごとに赤色、緑色、青色の３色、または、シアン、マゼンタ、イエローの３色に
変化するように、前記レーザビームが照射されて発色または退色する色素材料で構成され
るともに、その周の変化する色に対応した色情報コードを表す形状であって、前記色情報
コードに対応して周方向の長さを変化させたピット形状またはスリット形状、または、前
記色情報コードに対応したパターンで周方向に配列されたピット形状またはスリット形状
、または、前記色情報コードに対応した周期で変化するウォブル形状を有することを特徴
とする光ディスクを提供する。
【００１３】
カラー可視画像は、赤色、緑色、青色の３色の色成分画像、または、シアン、マゼンタ
、イエローの３色の色成分画像を合成することにより生成することができる。即ち、カラ
ー画像データは、赤色、緑色、青色の３色の色成分画像データ、または、シアン、マゼン
タ、イエローの３色の色成分画像データに分離することができる。
【００１４】
この構成によれば、前記環状領域または螺旋状領域のレーザビームが照射された部分は
、その環状領域または螺旋状領域を構成する色素材料が発色または退色する色に応じた色
、即ち、赤色、緑色、青色の３色のいずれかの色、または、シアン、マゼンタ、イエロー
の３色のいずれかの色に変化する。
【００１５】
また、その環状領域または螺旋状領域が前記３色のいずれの色に変化するのかというこ
とが、その環状領域または螺旋状領域の形状を読み取ることにより、その形状が表す色情
報コードから判別できる。
【００１６】
従って、周ごとに、その環状領域または螺旋状領域が変化する色、即ち、赤色、緑色、
青色の３色、または、シアン、マゼンタ、イエローの３色のそれぞれの色に対応する色成
分画像データに基づいてレーザビームが照射されることにより、前記レーベル面にカラー
可視画像を形成することが可能となる。
【００１７】
請求項２の発明は、レーザビームが照射されることにより可視画像が形成される光ディ
スクであって、１つの周から成り前記レーザビームが照射された部分の色が変化する環状
領域が、円盤状の基板層の一方面に同心円状に複数周形成されて成るレーベル面を備え、
前記環状領域は、周ごとに複数の異なる色に変化するように、前記レーザビームが照射さ
れて発色または退色する色素材料で構成されるともに、その周の変化する色に対応した色
情報コードを表す形状を有することを特徴とする光ディスクを提供する。
【００１８】
この構成によれば、前記環状領域のレーザビームが照射された部分は、その環状領域を
構成する色素材料が発色または退色する色に応じた色に変化する。また、その環状領域が
どの色に変化するのかということが、その環状領域の形状を読み取ることにより、その形
状が表す色情報コードから判別できる。従って、周ごとにその環状領域が変化する色に対
応する色成分画像データに基づいてレーザビームが照射されることにより、前記レーベル
面に複数色から成る可視画像を形成することが可能となる。
【００１９】
請求項３の発明は、レーザビームが照射されることにより可視画像が形成される光ディ
スクであって、１つの周から成り前記レーザビームが照射された部分の色が変化する螺旋
状領域が、円盤状の基板層の一方面に螺旋状に複数周形成されて成るレーベル面を備え、
前記螺旋状領域は、周ごとに複数の異なる色に変化するように、前記レーザビームが照射
されて発色または退色する色素材料で構成されるともに、その周の変化する色に対応した
色情報コードを表す形状を有することを特徴とする光ディスクを提供する。
【００２０】
この構成によれば、前記螺旋状領域のレーザビームが照射された部分は、その螺旋状領
域を構成する色素材料が発色または退色する色に応じた色に変化する。また、その螺旋状
領域がどの色に変化するのかということが、その螺旋状領域の形状を読み取ることにより
、その形状が表す色情報コードから判別できる。従って、周ごとにその螺旋状領域が変化
する色に対応する色成分画像データに基づいてレーザビームが照射されることにより、前
記レーベル面に複数色から成る可視画像を形成することが可能となる。
【００２１】
請求項４の発明は、請求項２または請求項３の発明において、前記複数の異なる色が、
赤色、緑色、青色の３色、または、シアン、マゼンタ、イエローの３色であることを特徴
としている。
【００２２】
このようにすれば、前記環状領域または螺旋状領域のレーザビームが照射された部分は
、その環状領域または螺旋状領域を構成する色素材料が発色または退色する色に応じた色
、即ち、赤色、緑色、青色の３色のいずれかの色、または、シアン、マゼンタ、イエロー
の３色のいずれかの色に変化する。
【００２３】
従って、周ごとにその環状領域または螺旋状領域が変化する色、即ち、赤色、緑色、青
色の３色、または、シアン、マゼンタ、イエローの３色のそれぞれの色に対応する色成分
画像データに基づいてレーザビームが照射されることにより、前記レーベル面にカラー可
視画像を形成することが可能となる。
【００２４】
請求項５の発明では、請求項２〜請求項４のいずれかの発明において、前記色情報コー
ドを表す形状が、前記色情報コードに対応したパターンで周方向に配列されたピット形状
またはスリット形状であることを特徴としている。このようにすれば、前記色情報コード
を容易に表すことができる。
【００２５】
請求項６の発明では、請求項２〜請求項４のいずれかの発明において、前記色情報コー
ドを表す形状が、前記色情報コードに対応して周方向の長さを変化させたピット形状また
はスリット形状であることを特徴としている。このようにすれば、前記色情報コードを容
易に表すことができる。
【００２６】
請求項７の発明では、請求項２〜請求項４のいずれかの発明において、前記色情報コー
ドを表す形状が、前記色情報コードに対応した周期で変化するウォブル形状であることを
特徴としている。このようにすれば、前記色情報コードを容易に表すことができる。
【００２７】
請求項８の発明は、１つの周から成りレーザビームが照射された部分の色が変化する環
状領域または螺旋状領域が、複数周形成されたレーベル面を有する光ディスクに対して、
レーザビームを照射することにより可視画像を形成する光ディスク装置であって、レーザ
ビームを出射するレーザダイオードと、レーザダイオードを駆動するレーザダイオードド
ライバと、前記レーザダイオードから出射されたレーザビームを前記光ディスクのレーベ
ル面に集光させる対物レンズと、前記対物レンズを前記光ディスクの径方向に駆動するト
ラッキングアクチュエータと、前記対物レンズを光軸方向に駆動するフォーカスアクチュ
エータと、出射されたレーザビームの前記レーベル面からの反射光を受光し受光した反射
光に基づく受光信号を出力する受光素子とを有する光ピックアップと、前記受光信号に含
まれる前記環状領域または螺旋状領域の位置情報に基づいて前記トラッキングアクチェー
タを駆動して前記レーベル面に照射されるレーザビームのトラッキング制御を行うととも
に、前記受光信号に含まれる前記レーベル面におけるレーザビームの焦点情報に基づいて
前記フォーカスアクチュエータを駆動して前記レーベル面に照射されるレーザビームのフ
ォーカス制御を行うサーボ回路と、前記光ピックアップから出射されるレーザビームの前
記レーベル面における照射位置を前記光ディスクの径方向に移動させる照射位置移動部と
、形成する可視画像の赤色、緑色、青色の３色、または、シアン、マゼンタ、イエローの
３色の色成分のそれぞれの色成分に対応する複数の色成分画像データを記憶する記憶部と
、前記光ディスクに可視画像を形成する際に、前記レーザダイオードドライバに前記レー
ザダイオードから前記環状領域または螺旋状領域の色を変化させない照射パワーのレーザ
ビームを照射させる第１の照射指示信号を与え、前記受光信号からレーザビームが照射さ
れた前記環状領域または螺旋状領域が有する色情報コードを読み取り、読み取った色情報
コードが示す色の色成分に対応する前記記憶部に記憶されている色成分画像データと前記
レーベル面における現在のレーザビームの照射位置情報とに基づいて、前記レーザダイオ
ードドライバに前記レーザダイオードから前記環状領域または螺旋状領域の色を変化させ
る照射パワーのレーザビームを照射させる第２の照射指示信号を与える制御部とを備えた
ことを特徴とする光ディスク装置を提供する。
【００２８】
この構成によれば、前記光ディスクに可視画像を形成する際には、前記制御部が前記レ
ーザダイオードドライバに第１の照射指示信号を与えることにより、前記レーザダイオー
ドから前記レーベル面の環状領域または螺旋状領域の色を変化させない照射パワーのレー
ザビームが照射される。そして、前記制御部が前記受光信号から、そのレーザビームが照
射された環状領域または螺旋状領域が有する、その環状領域または螺旋状領域が変化する
色を示す色情報コードを読み取り、読み取った色情報コードが示す色、即ち、赤色、緑色
、青色の３色、または、シアン、マゼンタ、イエローの３色のいずれかの色の色成分に対
応する前記記憶部に記憶されている色成分画像データと、前記レーベル面における現在の
レーザビームの照射位置情報とに基づいて前記レーザダイオードドライバに第２の照射指
示信号を与えることにより前記レーザダイオードから前記環状領域または螺旋状領域の色
を変化させる照射パワーのレーザビームが照射される。
【００２９】
これにより、前記光ディスクの前記環状領域または螺旋状領域のレーザビームの照射さ
れた部分が、その周の環状領域または螺旋状領域が変化する色、即ち、赤色、緑色、青色
の３色のいずれかの色、または、シアン、マゼンタ、イエローの３色のいずれかの色に変
化する。そして、前記光ディスクのレーベル面を構成する複数周の環状領域または螺旋状
領域ごとに同様の処理を行うことにより、前記レーベル面にカラー可視画像を形成するこ
とができる。
【００３０】
また、このとき、サーボ回路により、前記受光信号に含まれる前記環状領域または螺旋
状領域の位置情報に基づいて対物レンズを駆動するトラッキングアクチュエータが駆動さ
れ前記レーベル面に照射されるレーザビームのトラッキング制御が行われる。さらに、同
時に、サーボ回路により、前記受光信号に含まれる前記レーベル面におけるレーザビーム
の焦点情報に基づいて対物レンズを駆動するフォーカスアクチュエータが駆動され前記レ
ーベル面に照射されるレーザビームのフォーカス制御が行われる。これにより、前記環状
領域または螺旋状領域に正確にレーザビームを照射することができるので、レーザビーム
が照射された前記環状領域または螺旋状領域が有する色情報コードを正確に読み取ること
ができるとともに、その環状領域または螺旋状領域の色を変化させたい部分を正確に色変
化させることができる。
【００３１】
請求項９の発明は、１つの周から成りレーザビームが照射された部分の色が変化する環
状領域または螺旋状領域が、複数周形成されたレーベル面を有する光ディスクに対して、
レーザビームを照射することにより可視画像を形成する光ディスク装置であって、レーザ
ビームを出射し、出射されたレーザビームを前記レーベル面に集光させ、前記レーベル面
からの反射光を受光し受光した反射光に基づく受光信号を出力する光ピックアップと、前
記光ピックアップから出射されるレーザビームの前記レーベル面における照射位置を前記
光ディスクの径方向に移動させる照射位置移動部と、形成する可視画像の複数の色成分の
それぞれの色成分に対応する複数の色成分画像データを記憶する記憶部と、前記光ディス
クに可視画像を形成する際に、前記光ピックアップに前記環状領域または螺旋状領域の色
を変化させない照射パワーのレーザビームを照射させる第１の照射指示信号を与え、前記
受光信号からレーザビームが照射された前記環状領域または螺旋状領域が有する色情報コ
ードを読み取り、読み取った色情報コードが示す色の色成分に対応する前記記憶部に記憶
されている色成分画像データと前記レーベル面における現在のレーザビームの照射位置情
報とに基づいて、前記光ピックアップに前記環状領域または螺旋状領域の色を変化させる
照射パワーのレーザビームを照射させる第２の照射指示信号を与える制御部とを備えたこ
とを特徴とする光ディスク装置を提供する。
【００３２】
この構成によれば、前記光ディスクに可視画像を形成する際には、前記制御部が前記光
ピックアップに第１の照射指示信号を与えることにより、前記光ピックアップから前記レ
ーベル面の環状領域または螺旋状領域の色を変化させない照射パワーのレーザビームが照
射される。そして、前記制御部が前記受光信号から、そのレーザビームが照射された環状
領域または螺旋状領域が有する、その環状領域または螺旋状領域が変化する色を示す色情
報コードを読み取り、読み取った色情報コードが示す色の色成分に対応する前記記憶部に
記憶されている色成分画像データと、前記レーベル面における現在のレーザビームの照射
位置情報とに基づいて前記光ピックアップに第２の照射指示信号を与えることにより前記
光ピックアップから前記環状領域または螺旋状領域の色を変化させる照射パワーのレーザ
ビームが照射される。
【００３３】
これにより、前記光ディスクの前記環状領域または螺旋状領域のレーザビームの照射さ
れた部分が、その周の環状領域または螺旋状領域が変化する色に変化する。そして、前記
光ディスクのレーベル面を構成する複数周の環状領域または螺旋状領域ごとに上記処理を
行うことにより、前記レーベル面に複数色から成る可視画像を形成することが可能となる
。
【００３４】
請求項１０の発明は、請求項９の発明において、前記記憶部は、形成する可視画像の赤
色、緑色、青色の３色、または、シアン、マゼンタ、イエローの３色の色成分のそれぞれ
の色成分に対応する複数の色成分画像データを記憶することを特徴としている。このよう
にすれば、前記レーベル面にカラー可視画像を形成することが可能となる。
【００３５】
請求項１１の発明は、請求項９または請求項１０の発明において、前記光ピックアップ
は、レーザビームを出射するレーザダイオードと、レーザダイオードを駆動するレーザダ
イオードドライバと、前記レーザダイオードから出射されたレーザビームを前記光ディス
クのレーベル面に集光させる対物レンズと、前記対物レンズを前記光ディスクの径方向に
駆動するトラッキングアクチュエータと、前記対物レンズを光軸方向に駆動するフォーカ
スアクチュエータと、出射されたレーザビームの前記レーベル面からの反射光を受光し受
光した反射光に基づく受光信号を出力する受光素子とを有し、前記光ディスク装置は、さ
らに、前記受光信号に含まれる前記環状領域または螺旋状領域の位置情報に基づいて前記
トラッキングアクチェータを駆動して前記レーベル面に照射されるレーザビームのトラッ
キング制御を行うとともに、前記受光信号に含まれる前記レーベル面におけるレーザビー
ムの焦点情報に基づいて前記フォーカスアクチュエータを駆動して前記レーベル面に照射
されるレーザビームのフォーカス制御を行うサーボ回路を備えることを特徴としている。
【００３６】
この構成によれば、サーボ回路により、前記受光信号に含まれる前記環状領域または螺
旋状領域の位置情報に基づいて対物レンズを駆動するトラッキングアクチュエータが駆動
され前記レーベル面に照射されるレーザビームのトラッキング制御が行われる。さらに、
同時に、サーボ回路により、前記受光信号に含まれる前記レーベル面におけるレーザビー
ムの焦点情報に基づいて対物レンズを駆動するフォーカスアクチュエータが駆動され前記
レーベル面に照射されるレーザビームのフォーカス制御が行われる。これにより、前記環
状領域または螺旋状領域に正確にレーザビームを照射することができるので、レーザビー
ムが照射された前記環状領域または螺旋状領域が有する色情報コードを正確に読み取るこ
とができるとともに、その環状領域または螺旋状領域の色を変化させたい部分を正確に色
変化させることができる。
【００３７】
請求項１２の発明は、請求項１１の発明において、前記光ディスクに可視画像を形成す
る際に、前記レーザダイオードドライバに第１、第２の照射指示信号を与えることを特徴
としている。
【００３８】
このようにすれば、前記レーザダイオードから前記環状領域または螺旋状領域の色を変
化させない照射パワーのレーザビームが適宜照射され、また、前記レーザダイオードから
前記環状領域または螺旋状領域の色を変化させる照射パワーのレーザビームが適宜照射さ
れる。
【発明の効果】
【００３９】
以上のように本発明によれば、レーザビームが照射されることによりレーベル面にカラ
ー可視画像を形成することができる光ディスクが実現できる。
【００４０】
また、本発明によれば、レーザビームを照射することにより光ディスクのレーベル面に
カラー可視画像を形成することができる光ディスク装置が実現できる。
【発明を実施するための最良の形態】
【００４１】
以下、添付図面を参照しつつ、本発明の実施形態について説明するが、先ず、本実施形
態の光ディスクの構成について説明し、その後、その光ディスクを対象としてその光ディ
スクにカラー可視画像を形成することができる本実施形態の光ディスク装置の構成及び動
作等について説明する。
【００４２】
図１は、本発明の一実施形態のＤＶＤ（光ディスク）の外観を概略的に示す斜視図であ
る。図１に示すＤＶＤ５０は、ＤＶＤ−ＲＯＭ、ＤＶＤ−Ｒ、ＤＶＤ−ＲＷ等の各種ＤＶ
Ｄの規格に準拠し、それらと外観形状、寸法がほぼ同じＤＶＤであり、その中央部には記
録・再生時に光ディスク装置等によるチャッキングを可能とするための円形の孔５０ａが
形成されている。
【００４３】
また、ＤＶＤ５０は、図１の下側にあたる記録面５８に、ＤＶＤ−Ｒ等と同様に、音楽
データやプログラムデータ等の情報を記録することが可能であり、図の上側のレーベル面
５９にカラー可視画像を形成することが可能である。レーベル面５９には、カラー可視画
像形成のために、レーザビームが照射された部分の色が変化する１つの周から成る環状領
域５５が同心円状に複数周設けられている。尚、図１はＤＶＤ５０の外観を概略的に示し
ており、孔５０ａや環状領域５５の形状、寸法比率等はこの図に示される通りではない。
また、環状領域５５は、螺旋状に複数周設けられた螺旋状領域であっても良い。
【００４４】
図２は、図１に示すＤＶＤ５０の構成を模式的に示す断面図である。ＤＶＤ５０は、そ
の厚みＴを１．２ｍｍとされ、また、基板５１、情報記録層となる記録色素膜５２、反射
層５３、基板５６、環状領域５５、及び、保護層５４が順に積層されて構成されている。
環状領域５５は、基板５６の一方の面に塗布または印刷されることにより形成されており
、反射層５３と基板５６との間には、反射層５３と基板５６の環状領域５５が形成されて
いない方の面とを貼り合わせるための接着剤等から成る透明中間層５７が存在している。
尚、図２はＤＶＤ５０の構造を模式的に示しており、各層の形状、寸法比率等はこの図に
示される通りではない。
【００４５】
これらの各層のうち、記録色素膜５２の上には所定のピッチ（トラックピッチ＝約０．
７４μｍ）で螺旋状にグルーブ５２ａが形成されており、ＤＶＤ５０に情報記録する際に
は、このグルーブ５２ａ上にレーザビームが集光されるように制御（フォーカス制御）さ
れるとともに、このグルーブ５２ａに沿ってレーザビームが照射されるように制御（トラ
ッキング制御）され、グルーブ５２ａ上に記録データ長に対応するピットが形成される。
【００４６】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている情報の再生が行われる。
【００４７】
従って、情報を記録する場合には、ＤＶＤ５０は、記録面５８が光ディスク装置のレー
ザビームを出射する光ピックアップと対向するようにセットされる。このように、このＤ
ＶＤ５０は、環状領域５５が設けられている以外は従来から使用されているＤＶＤ−Ｒ等
とほぼ同様の構成であり、記録面５８側、即ち、記録色素膜５２、反射層５３等の詳細な
構成についてはその説明を省略する。
【００４８】
一方、ＤＶＤ５０のレーベル面５９にカラー可視画像を形成する場合には、ＤＶＤ５０
は、レーベル面５９が光ディスク装置のレーザビームを出射する光ピックアップと対向す
るようにセットされる。そして、後述するように、光ディスク装置の光ピックアップから
、複数の環状領域５５のそれぞれにレーザビームを照射することにより、それぞれの環状
領域５５の一部分または全部の色を適宜変化させてカラー画像データに対応したカラー可
視画像を形成する。
【００４９】
環状領域５５は、レーザビームが照射されることに起因して生じる熱に感熱して青色に
変化する環状領域５５ａ、緑色に変化する環状領域５５ｂ、赤色に変化する環状領域５５
ｃの３原色にそれぞれ変化する３種類の環状領域を有しており、それぞれの環状領域が順
に配設されている。尚、配設順は図２に示す順に限定されるものではない。
【００５０】
環状領域５５は、例えば、ロイコ色素と顕色剤とを含む材料で構成され、ロイコ色素と
しては、レーザビームが照射されることに起因して生じる熱により顕色剤と化学変化を起
こして特定波長帯の光の反射率が大幅に低下（退色）するものを使用する。そして、変化
する色を変えるために、それぞれの環状領域５５ａ、５５ｂ、５５ｃには、反射率を低下
させる波長帯がそれぞれ異なるロイコ色素が用いられる。
【００５１】
例えば、青色に変化する環状領域５５ａには、ロイコ色素として、赤色光の波長帯であ
る６１０〜７５０ｎｍの反射率、及び、緑色光の波長帯である５００〜５６０ｎｍの反射
率が大幅に低下するものが使用される。これにより、レーベル面５９が白色であると、光
の３原色の原理から人の目には青色に見える。
【００５２】
同様に、緑色に変化する環状領域５５ｂには、ロイコ色素として、赤色光の波長帯の反
射率、及び、青色光の波長帯の反射率が大幅に低下するものが使用され、赤色に発色する
環状領域５５ｃには、ロイコ色素として、緑色光の波長帯の反射率、及び、青色光の波長
帯の反射率が大幅に低下するものが使用される。これにより、レーベル面５９が白色であ
ると、光の３原色の原理から人の目には環状領域５５ｂは緑色に、環状領域５５ｃは赤色
に見える。
【００５３】
尚、各環状領域５５ａ、５５ｂ、５５ｃは、それぞれ、シアン、マゼンタ、イエローに
変化するようにしても良い。例えば、シアン色に変化させるためには、その環状領域に含
まれるロイコ色素として、赤色光の波長帯である６１０〜７５０ｎｍの反射率が大幅に低
下するものを使用する。これにより、レーベル面５９が白色であると、光の３原色の原理
から人の目には青色と緑色の混色であるシアン色に見える。同様に、ロイコ色素として、
緑色光の波長帯の反射率が大幅に低下するものが使用されると、青色と赤色の混色である
マゼンタ色に見え、ロイコ色素として、青色光の波長帯の反射率が大幅に低下するものが
使用されると、赤色と緑色の混色であるイエロー色に見える。
【００５４】
また、各環状領域５５ａ、５５ｂ、５５ｃを構成する色素材料は、例えば、レーザビー
ムが照射されることに起因して生じる熱により、各環状領域５５ａ、５５ｂ、５５ｃが変
化する色に発色する色素材料であっても良い。
【００５５】
また、各環状領域５５ａ、５５ｂ、５５ｃが変化する色、即ち、青色、緑色、赤色のそ
れぞれには、それぞれの色に対応した色情報コードが割り当てられている。例えば、青色
には「００１」、緑色には「０１１」、赤色には「１１１」である。そして、各環状領域
５５ａ、５５ｂ、５５ｃは、それぞれ、各環状領域５５ａ、５５ｂ、５５ｃが変化する色
に対応した色情報コードを表す形状を有している。
【００５６】
その形状としては、前記色情報コードのパターンで周方向にピットまたはスリットが形
成されていても良いし、色情報コードに対応する長さのピットまたはスリットが形成され
ていても良い。また、各環状領域５５ａ、５５ｂ、５５ｃが、前記色情報コードに対応し
た周期で変化するウォブル形状を有していても良い。
本実施形態のＤＶＤ５０は、前記色情報コードのパターンで周方向にピットが形成されて
いるものとする。
【００５７】
また、各周の環状領域５５には、前記色情報コードを表すピット以外に、周の起点を示
すプリピットが形成されていても良い。
【００５８】
ＤＶＤ５０は、上記のような各層を備えるよう製造されるのであれば、製造方法を問う
ものではないが、例えば、基板５１上に記録色素膜５２及び反射層５３を蒸着させたもの
と、基板５６の一方の面上に環状領域５５を塗布または印刷し、さらに保護層５４をコー
ティングしたものとを、基板５６の前記一方の面と反対側の面と反射層５３とを対抗させ
て透明中間層５６を構成する接着剤等で貼り合わせることにより製造することができる。
【００５９】
次に、上述したＤＶＤ５０にカラー可視画像をレーベル印刷することのできる光ディス
ク装置を説明する。図３は、本実施形態に係る光ディスク装置の構成を示すブロック図で
ある。図３に示す光ディスク装置は、ＤＶＤの再生または記録を行う光ディスク装置であ
る。
【００６０】
図３に示すように、光ディスク装置１００は、バックエンドであるパーソナルコンピュ
ータ（ＰＣ）１１０に接続されており、光ピックアップ１０、フロントエンドプロセッサ
（ＦＥＰ）１３、レーザパワーコントロール（ＬＰＣ）回路１４、サーボ回路１５、モー
タ駆動回路１６、制御部１７、ステッピングモータ１８、ドライバ１９、モータコントロ
ーラ２０、スピンドルモータ２１、バッファメモリ２２を備えている。
【００６１】
スピンドルモータ２１は、データを再生または記録する対象となるＤＶＤ５０を回転駆
動するためのモータであり、モータ駆動回路１６によりその回転数が制御される。モータ
駆動回路１６には、制御部１７からの指示信号、及び、スピンドルモータ２１またはスピ
ンドルモータ２１に設けられたセンサ等からフィードバックされるスピンドルモータ２１
の回転数に応じた周波数のパルス信号が供給され、モータ駆動回路１６は、これらの供給
される信号に基づいてスピンドルモータ２１の回転制御を行う。尚、スピンドルモータ２
１の回転駆動方式には、ＤＶＤ５０を角速度一定で回転駆動する方式（ＣＡＶ方式：Cons
tant Angular Velocity）や、一定の記録線速度となるようにＤＶＤ５０を回転駆動する
方式（ＣＬＶ方式：Constant Linear Velocity）があるが、いずれを用いるようにしても
よい。
【００６２】
光ピックアップ１０は、スピンドルモータ２１により回転駆動されるＤＶＤ５０に対し
てレーザビームを照射するユニットである。
【００６３】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７と、レーザダイオード３７を駆動するレーザダイオード
ドライバ（ＬＤＤ）１１と、レーザビームＬ１をＤＶＤ５０（記録色素膜５２や環状領域
５５）に集光させるための光学系４０と、反射光を受光する受光素子３６と、受光素子３
６からの受光信号を増幅するヘッドアンプ（ＨＡ）１２とを備えている。
【００６４】
ＬＤＤ１１は、図３に示す制御部１７からの指示信号と、ＬＰＣ回路１４からの制御信
号に従ってレーザダイオード３７を駆動する。レーザダイオード３７は、ＬＤＤ１１から
駆動電流が供給されると、該駆動電流に応じた強度のレーザビームＬ１を出射する。そし
て、レーザダイオード３７より出射されたレーザビームＬ１は回折格子３８により主ビー
ムと２つの副ビーム（先行ビーム、後行ビーム）に分離され、これら３つのレーザビーム
Ｌ１は偏光ビームスプリッタ３９、コリメータレンズ３０、１／４波長板３１、対物レン
ズ３２を経て、ＤＶＤ５０の記録面５８またはレーベル面５９に集光される。
【００６５】
図５は、再生時または記録時に、ＤＶＤ５０の記録面５８が光ピックアップ１０に対向
するようにセットされている場合のレーザビームＬ１の光路を示す図であり、図６は、レ
ーベル印刷時に、ＤＶＤ５０のレーベル面５９が光ピックアップ１０に対向するようにセ
ットされている場合のレーザビームＬ１の光路を示す図である。
【００６６】
そして、ＤＶＤ５０の記録面５８またはレーベル面５９で反射された３つのレーザビー
ムＬ１は、再び、対物レンズ３２、色フィルタアパーチャ４１、１／４波長板３１、コリ
メータレンズ３０、偏光ビームスプリッタ３９ｂを透過し、偏向ビームスプリッタ３９ａ
で反射されて、シリンドリカルレンズ３３を経て、受光素子３６に入射するようになって
いる。
【００６７】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調して制御部１
７に供給する。
【００６８】
また、サーボ回路１５には、この受光信号に含まれる、トラッキング制御に使用される
グルーブ５２ａまたは環状領域５５の位置情報や、フォーカス制御に使用される記録色素
膜５２または環状領域５５に集光しているレーザビームＬ１の焦点に関する情報（焦点情
報）が供給されることになる。このトラッキング制御、フォーカス制御については詳細を
後述する。
【００６９】
また、光ピックアップ１０は、図示しないフロントモニタダイオードを有しており、レ
ーザダイオード３７がレーザビームＬ１を出射しているときに、その出射されたレーザビ
ームＬ１を受光したフロントモニタダイオードに電流が生じ、その電流が図３に示すＬＰ
Ｃ回路１４に供給されるようになっている。そして、ＬＰＣ回路１４は、制御部１７によ
って指示される最適レーザパワーの目標値と一致する値のレーザパワーがレーザダイオー
ド３７から出射されるようにＬＤＤ１１を制御する。ここで行われるＬＰＣ回路１４によ
るレーザパワー制御は、前記フロントモニタダイオードから供給される電流値を用い、目
標となる強度のレーザビームがレーザダイオード３７から照射されるように制御するフィ
ードバック制御である。
【００７０】
対物レンズ３２は、フォーカスアクチュエータ３４及びトラッキングアクチュエータ３
５に保持されており、レーザビームＬ１の光軸方向及びＤＶＤ５０の径方向に移動できる
ようになっている。フォーカスアクチュエータ３４及びトラッキングアクチュエータ３５
の各々は、サーボ回路１５から供給されるフォーカスエラー（ＦＥ）信号及びトラッキン
グエラー（ＴＥ）信号に応じて対物レンズ３２を光軸方向および径方向に移動させる。
【００７１】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００７２】
ここで、光ピックアップ１０から出射されＤＶＤ５０に照射される上述した３つのレー
ザビームＬ１は、主ビームのスポット中心がＤＶＤ５０の１つのグルーブ５２ａまたは１
つの環状領域５５の中心に位置したときに、一方の副ビームのスポットがそのグルーブ５
２ａまたは環状領域５５の内側面に、他方の副ビームのスポットがそのグルーブ５２ａま
たは環状領域５５の外側面にそれぞれかかるような位置関係にある。
【００７３】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａまたは環状領域５５の中心に対して内側／外側のどち
ら側にどれだけズレているのか、即ち、トラッキングエラー量を知ることができる。そし
て、サーボ回路１５は、そのトラッキングエラー量をゼロにするためのＴＥ信号を生成し
、そのＴＥ信号でトラッキングアクチュエータ３５を制御することで、ＤＶＤ５０が偏心
回転しても、主ビームを目標とするグルーブ５２ａまたは環状領域５５の中心に正確にト
レースさせることができる（トラッキング制御）。尚、このトラッキング制御は、上述し
た３ビーム方式以外に、位相差方式（１ビームトラッキング方式）で行うようにしても良
い。
【００７４】
また、受光素子３６は、図７に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００７５】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００７６】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、制御部１７から指示される光ピックアップ１０の径方向へ
の移動方向および移動量を含む移動指示信号にしたがって、移動量や移動方向に応じたパ
ルス信号を生成し、モータドライバ１９に出力する。即ち、ステッピングモータ１８が光
ピックアップ１０をＤＶＤ５０の径方向に移動させること、及び、スピンドルモータ２１
がＤＶＤ５０を回転させることにより、光ピックアップ１０のレーザビーム照射位置をＤ
ＶＤ５０の様々な位置に移動させることができる。
【００７７】
また、制御部１７は、図示しないＣＰＵ（Central Processing Unit）、ＲＯＭ（Read 
Only Memory）、ＲＡＭ（Random Access Memory）を備えており、ＣＰＵは、ＲＯＭに格
納されたファームウェア（プログラム）にしたがって光ディスク装置１００の装置各部を
制御し、ＤＶＤ５０に対する再生または記録のための各種処理、及び、レーベル印刷のた
めの各種処理を中枢的に制御している。尚、ＲＡＭは各種処理時のワークメモリとして使
用される。
【００７８】
制御部１７は、再生時には、光ピックアップ１０から再生レベルのレーザビームＬ１を
出射させるためにＬＤＤ１１及びＬＰＣ回路１４に照射指示信号を与える。再生レベルと
は、上述したサーボ回路１５によるフォーカス制御及びトラッキング制御のために必要な
反射光が得られる照射パワーのレベルを言い、この再生レベルのレーザビームＬ１では、
ＤＶＤ５０の記録色素膜５２に記録されている情報（ピット）を読み取ることはできるが
、記録色素膜５２への情報記録を行うことはできない。そして、ＤＶＤ５０の記録色素膜
５２から読み出されＦＥＰ１３で復調された音楽データ等の各種データをバックエンドで
あるＰＣ１１０へ送信し、ＰＣ１００の各種再生手段でそのデータが再生される。
【００７９】
また、情報記録時には、ＤＶＤ５０に対して記録する音楽データや映像データ等の情報
記録データが、バックエンドであるＰＣ１１０から送信されバッファメモリ２２に蓄積さ
れる。そして、制御部１７はこのバッファメモリ２２に蓄積された情報記録データに基づ
いて、光ピックアップ１０から記録レベルのレーザビームＬ１を出射させるためにＬＤＤ
１１及びＬＰＣ回路１４に照射指示信号を与え、ＤＶＤ５０の記録色素膜５２に情報の記
録を行う。この記録レベルとは、記録色素膜５２に情報（ピット）を書き込む照射パワー
のレベルを言う。
【００８０】
また、レーベル印刷時には、レーベル印刷を行うための画像データが、バックエンドで
あるＰＣ１１０から送信されバッファメモリ２２に蓄積される。この画像データとは、光
ディスクのレーベル面上に可視画像を形成するためのデータであり、ＰＣ１１０に入力、
またはＰＣ１１０で生成された光ディスクのレーベル面に形成する画像のビットマップデ
ータを極座標形式のデータに変換したものであり、光ディスクの中心点を中心とする多数
の同心円上の複数の各座標点毎にその点の階調度（濃淡）を示す情報が記述されているデ
ータである。
【００８１】
また、形成する画像がカラー画像である場合、その画像データはカラー画像データであ
り、そのカラー画像データは、赤色、緑色、青色の各色成分ごとの色成分画像データ（赤
色成分画像データ、緑色成分画像データ、青色成分画像データ）に分離されてバッファメ
モリ２２に蓄積される。カラー可視画像は、赤色、緑色、青色の３色の色成分画像を合成
することにより生成することができるので、前記分離された赤色、緑色、青色の各色成分
ごとの色成分画像データに基づいた各色成分画像を合成すれば、目的のカラー可視画像を
形成することができる。
【００８２】
尚、ＤＶＤ５０のレーベル面５９に形成されている環状領域５５が、レーザビームが照
射されてシアン、マゼンタ、イエローに変化する場合は、前記カラー画像データは、シア
ン、マゼンタ、イエローの各色成分ごとの色成分画像データ（シアン色成分画像データ、
アゼンタ色成分画像データ、イエロー色成分画像データ）に分離されてバッファメモリ２
２に蓄積される。
【００８３】
そして、制御部１７はこのバッファメモリ２２に蓄積された画像データに基づいて、光
ピックアップ１０から非発色レベルまたは発色レベルのレーザビームＬ１を出射させるた
めにＬＤＤ１１及びＬＰＣ回路１４に照射指示信号を与え、ＤＶＤ５０のレーベル面５９
に可視画像を形成する。この非発色レベルとは、上述したサーボ回路１５によるフォーカ
ス制御及びトラッキング制御のために必要な反射光、及び、上述したＤＶＤ５０の環状領
域５５が有する色情報コードを読み取るために必要な反射光が得られる照射パワーのレベ
ルを言い、この非発色レベルのレーザビームＬ１では、環状領域５５を色変化させること
はできない。一方、発色レベルとは、環状領域５５を色変化させる照射パワーのレベルを
言う。
【００８４】
次に、このような構成の光ディスク装置１００のＤＶＤ５０へのレーベル印刷動作を、
図８に示すフローチャートを参照して説明する。
【００８５】
先ず、ＤＶＤ５０が光ディスク装置１００にレーベル面５９が光ピックアップ１０と対
向するようにセットされ、ユーザがＰＣ１１０を操作することにより、セットしたＤＶＤ
５０へのレーベル印刷開始指示がＰＣ１１０から制御部１７へ与えられる（ステップＳ１
）。このとき、レーベル印刷するカラー画像のカラー画像データがＰＣ１１０からバッフ
ァメモリ２２へ送信されバッファメモリ２２に蓄積される。このカラー画像データは、上
述したように、極座標に変換されるとともに、赤色、緑色、青色の各色成分ごとの色成分
画像データ（赤色成分画像データ、緑色成分画像データ、青色成分画像データ）に分離さ
れてバッファメモリ２２に蓄積されている。
【００８６】
次に、制御部１７は、光ピックアップ１０の位置（ＤＶＤ５０に対する径方向の位置）
を初期化する。即ち、モータコントローラ２０に移動指示信号を与えて、ドライバ１９に
よりステッピングモータ１８を回転させ、光ピックアップ１０をＤＶＤ５０の径方向の最
内周側の初期位置に移動させる（ステップＳ２）。
【００８７】
次に、制御部１７は、モータ駆動回路１６に回転指示信号を与えて、スピンドルモータ
２１によりＤＶＤ５０を所定速度で回転させる（ステップＳ３）。
【００８８】
次に、制御部１７は、ＬＤＤ１１及びＬＰＣ回路１４に照射指示信号を与え、光ピック
アップ１０から非発色レベルのレーザビームＬ１をＤＶＤ５０へ照射させる（ステップＳ
４）。尚、レーザビームＬ１が照射されているときは、照射されたレーザビームＬ１のレ
ーベル面５９からの反射光の信号であるヘッドアンプ１２からの受光信号に基づいて、上
述したサーボ回路１５によるフォーカス制御及びトラッキング制御が行われている。
【００８９】
そして、制御部１７は、ＦＥＰ１３からの受光信号を確認しながら、モータコントロー
ラ２０にＤＶＤ５０の外周方向への移動指示信号を与えて、照射されているレーザビーム
Ｌ１のレーベル面５９における照射位置が環状領域５５の上になる位置へ光ピックアップ
１０を移動させる。即ち、光ピックアップ１０の位置決めを行う（ステップＳ５）。この
とき、制御部１７は、光ピックアップ１０を初期位置からどれだけ移動させたかによって
、レーベル面５９における現在のレーザビームＬ１の照射位置情報を把握している。
【００９０】
レーザビームＬ１が環状領域５５に照射されているときには、その環状領域５５に形成
されている色情報コードを表すピットによりＦＥＰ１３からその色情報コードを示す受光
信号が制御部１７に供給される。即ち、制御部１７は、レーザビームＬ１が照射されてい
る環状領域５５が有する色情報コードを読み取る（ステップＳ６）。
【００９１】
そして、制御部１７は、バッファメモリ２２に蓄積されている、読み取った色情報コー
ドに対応した色の色成分画像データを参照し、現在のレーザビームＬ１の照射位置に対応
する前記色成分画像データに基づいて、ＬＤＤ１１及びＬＰＣ回路１４に照射指示信号を
与え、光ピックアップ１０から発色レベルのレーザビームＬ１をその環状領域５５へ照射
させる（ステップＳ７）。これにより、その環状領域５５における発色レベルのレーザビ
ームＬ１の照射された部分がその環状領域５５の変化する色に変化する。尚、このときの
レーザビームＬ１の照射パワーは、前記色成分画像データに含まれる階調度（濃淡）に応
じて決められる。
【００９２】
例えば、ステップＳ５において、光ピックアップ１０がレーザビームＬ１の照射位置を
環状領域５５ａの上になるように位置決めされると、制御部１７は、レーザビームＬ１が
照射されている環状領域５５ａが有する色情報コード「００１」を読み取る。そして、こ
の色情報コード「００１」に対応する色は青色であることから、制御部１７はバッファメ
モリ２２に蓄積されている各色成分画像データのうちの青色成分画像データを参照する。
そして、現在のレーザビーム照射位置に対応する青色成分画像データに基づいてＬＤＤ１
及びＬＰＣ回路１４に照射指示信号を与え、光ピックアップ１０から発色レベルのレーザ
ビームＬ１が環状領域５５ａへ照射される。これにより、環状領域５５ａの発色レベルの
レーザビームＬ１が照射された部分が青色に変化する。
【００９３】
尚、前記色成分画像データに基づく発色レベルのレーザビームＬ１の周方向の照射位置
を決定するためには、環状領域５５の周の起点を認識する必要があるが、スピンドルモー
タ２１またはスピンドルモータ２１に設けられたセンサ等からフィードバックされるパル
ス信号からＤＶＤ５０の回転量を検出することができるため、これにより環状領域５５の
周の起点を認識することが可能となる。また、ＤＶＤ５０の環状領域５５に周の起点を示
すプリピットが形成されている場合は、そのプリピットを読み取ることにより、環状領域
５５の周の起点を認識することができる。
【００９４】
また、このとき、ＤＶＤ５０の環状領域５５上に照射されるレーザビームＬ１は、照射
されているレーザビームＬ１の反射光に基づいて対物レンズ３２がサーボ回路１５により
フォーカス制御及びトラッキング制御されているので、環状領域５５上のカラー可視画像
を形成すべき座標点に正確に位置合わせ及びピント調整されている。従って、所望のカラ
ー可視画像を正確に形成することができる。
【００９５】
次に、制御部１７は、バッファメモリ２２に蓄積されているカラー画像データのすべて
に対するレーザビームＬ１の照射による画像形成処理を行ったか否か、即ち、形成すべき
カラー画像を形成し終えたか否かを判別し（ステップＳ８）、まだ、すべて形成し終えて
いないと判別したときは（ステップＳ８のＮｏ）、ステップＳ４に戻り、カラー可視画像
形成を継続する。即ち、直前に色変化させた環状領域５５の次の周の環状領域５５にレー
ザビームＬ１を照射し、その環状領域５５の目標部分をその環状領域が変化する色に変化
させる。
【００９６】
一方、すべて形成し終えたと判別したときは（ステップＳ８のＹｅｓ）、ＬＤＤ１１及
びＬＰＣ回路１４への照射指示信号を停止し、光ピックアップ１０からのレーザビームＬ
１の照射を停止するとともに、モータ駆動回路１６を制御してモータ２１によるＤＶＤ５
０の回転を停止させる（ステップＳ９）。以上で、レーベル印刷動作が終了する。
【００９７】
このようにして、レーベル面５９上に形成されている複数の環状領域５５をカラー画像
データに基づいて色変化させることにより、レーベル面５９にカラー可視画像を形成する
ことができる。
【００９８】
以上説明したように、本実施形態に示すＤＶＤ５０及び光ディスク装置１００によれば
、ＤＶＤ５０に対して、本来の情報の再生または記録を行うだけでなく、レーザビームＬ
１を照射することによりレーベル面５９に、所望のカラー可視画像を正確に形成すること
ができる。
【００９９】
また、以上説明した本実施形態に示す光ディスクはＤＶＤであり、光ディスク装置はＤ
ＶＤの再生または記録用の光ディスク装置であったが、本発明は他の光ディスク及び光デ
ィスク装置にも適用することが可能である。具体的には、例えば、ＣＤや、次世代ＤＶＤ
である４０５ｎｍ帯域のレーザビームを用いて再生／記録を行う光ディスクにカラー画像
形成を行う例についても、本発明は適用可能である。
【０１００】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１０１】
【図１】本発明の一実施形態のＤＶＤ（光ディスク）の外観を概略的に示す斜視図である。
【図２】図１に示すＤＶＤの構成を模式的に示す断面図である。
【図３】本発明の一実施形態の光ディスク装置の構成を示すブロック図である。
【図４】図３に示す光ピックアップの構成を示す図である。
【図５】図３に示す光ピックアップから出射されるレーザビームの光路を説明するための図である。
【図６】図３に示す光ピックアップから出射されるレーザビームの他の状態の光路を説明するための図である。
【図７】図３に示す受光素子の構成を示す図である。
【図８】図３に示す光ディスク装置のレーベル印刷動作を説明するためのフローチャートである。
【符号の説明】
【０１０２】
１０    光ピックアップ
１１    レーザダイオードドライバ（ＬＤＤ）
１２    ヘッドアンプ（ＨＡ）
１３    フロントエンドプロセッサ（ＦＥＰ）
１４    レーザパワーコントロール（ＬＰＣ）回路
１５    サーボ回路
１６    モータ駆動回路
１７    制御部
１８    ステッピングモータ（照射位置移動部）
１９    ドライバ（照射位置移動部）
２０    モータコントローラ（照射位置移動部）
２１    スピンドルモータ
２２    バッファメモリ（記憶部）
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７    レーザダイオード
３８    回折格子
３９    偏光ビームスプリッタ
４０    光学系
５０    ＤＶＤ（光ディスク）
５０ａ    孔
５１、５６    基板
５２    色素記録膜（情報記録層）
５３    反射層
５４    保護層
５５、５５ａ、５５ｂ、５５ｃ    環状領域（螺旋状領域）
５７    透明中間層
５８    記録面
５９    レーベル面
１００    光ディスク装置
１１０    パーソナルコンピュータ（ＰＣ、バックエンド）
Ｌ１    レーザビーム
【図１】
2006134424.tif 000003
【図２】
2006134424.tif 000004
【図３】
2006134424.tif 000005
【図４】
2006134424.tif 000006
【図５】
2006134424.tif 000007
【図６】
2006134424.tif 000008
【図７】
2006134424.tif 000009
【図８】
2006134424.tif 000010